(57)【要約】      （修正有）【課題】トイレの手洗い吐水口に接続させることにより洗浄することができる洗浄具を提供する。【解決手段】手洗い吐水口５００に接続可能な接続部１００Ａと洗浄に必要な水の洗浄水用流路１０１と手洗い吐水口５００から吐出された水をタンクに戻すことができる水戻し流路１０２と洗浄に必要な水の洗浄水用流路１０１への水の供給、洗浄水用流路１０１への水の供給の停止又は手洗い吐水口５００から吐出された水を再びタンクに戻すための水戻し流路１０２への水の供給を切換えることができる切換機構１０３とを有してなる接続具１と、前記洗浄水用流路に接続することができる導水管２と、導水管２に接続することができる水の噴出部３とを備えることでトイレ、トイレに類した物又はトイレ用品の洗浄具４を構成する。【効果】大掛かりな設備装置をも必要としないので、コストも掛からず、極めて実用的である。【選択図】図１
2005194730.tif 000002
【特許請求の範囲】
【請求項１】
トイレの手洗い吐水口に接続させることによりトイレ、トイレに類した物又はトイレ用品を当該吐出口から吐出された水により洗浄することができるトイレ、トイレに類した物又はトイレ用品の洗浄具に使用できる接続具であって、
前記吐出口に接続可能な接続部と
前記洗浄に必要な水の洗浄水用流路と
前記吐出口から吐出された水をタンクに戻すことができる水戻し流路と
当該洗浄に必要な水の洗浄水用流路への水の供給、当該洗浄水用流路への水の供給の停止又は前記吐出口から吐出された水を再びタンクに戻すための前記水戻し流路への水の供給を切換えることができる切換機構とを備えてなることを特徴とするトイレ、トイレに類した物又はトイレ用品の洗浄具に使用できる接続具。
【請求項２】
トイレの手洗い吐水口に接続させることによりトイレ、トイレに類した物又はトイレ用品を当該吐出口から吐出された水により洗浄することができるトイレ、トイレに類した物又はトイレ用品の洗浄具であって、
前記吐出口に接続可能な接続部と
前記洗浄に必要な水の洗浄水用流路と
前記吐出口から吐出された水をタンクに戻すことができる水戻し流路と
当該洗浄に必要な水の洗浄水用流路への水の供給、当該洗浄水用流路への水の供給の停止又は前記吐出口から吐出された水を再びタンクに戻すための前記水戻し流路への水の供給を切り換えすることができる切換機構とを有してなる接続具と、
前記洗浄水用流路に接続することができる導水管と、
当該導水管に接続することができる水の噴出部と
を備えてなることを特徴とするトイレ、トイレに類した物又はトイレ用品の洗浄具。
【請求項３】
水タンクと手洗い吐水口とを備えてなるトイレと、
当該トイレの手洗い吐水口に接続させることによりトイレ、トイレに類した物又はトイレ用品を当該吐出口から吐出された水により洗浄することができるトイレ、トイレに類した物又はトイレ用品の洗浄具であって、
前記吐出口に接続可能な接続部と
前記洗浄に必要な水の洗浄水用流路と
前記吐出口から吐出された水をタンクに戻すことができる水戻し流路と
当該洗浄に必要な水の洗浄水用流路への水の供給、当該洗浄水用流路への水の供給の停止又は前記吐出口から吐出された水を再びタンクに戻すための前記水戻し流路への水の供給を切換えることができる切換機構とを有してなる接続具と、
前記洗浄水用流路に接続することができる導水管と、
当該導水管に接続することができる水の噴出部と
を備えてなるトイレ、トイレに類した物又はトイレ用品の洗浄具とを
有してなることを特徴とするトイレ設備。
【発明の詳細な説明】
【技術分野】
【０００１】
本発明は、トイレ、トイレに類した物又はトイレ用品の洗浄具及びその接続具並びに当該洗浄具を備えたトイレ設備に関するものである。
【背景技術】
【０００２】
移動可能なポータブルトイレの便器やオマルに付着した汚物を洗い流そうとする場合、洗面台とか風呂場で洗うことは可能であるが、洗面台や風呂場は、本来、顔を洗ったり、歯を磨いたり、入浴したりするのに使用されるべきであり、又、洗面台とか風呂場で洗うことはその場所を汚物で汚し不衛生にしたりする。
そこで、トイレで洗浄するということが考えられ、一つには、トイレ内の水道管に洗浄装置を接続するという方式があり、例えば、実開昭６２−３５０８３号公報には、水道管に接続した給水管に分岐管を設け、当該分岐管に止水弁を接続し、当該止水弁に先端に洗浄ガンが取り付けられたホースを接続して、当該洗浄ガンから排出された水により便器を洗浄する装置が記載されているが、水道管に接続した給水管に分岐管を設け、当該分岐管に止水弁を接続する等装置が大掛かりになり、コストも掛かる等の不都合がある。
一方、水洗便所のタンクの水を利用する方式もあり、例えば、特開２００３−１４７８３１号公報には、ポータブルトイレの汚物バケットを洗浄するのに、水タンク内に電動ミニポンプを沈め、当該ポンプの吐出口にホースを接続して、当該汚物バケットを洗浄する装置が記載されているが、当該ポンプは、電動であるので、電源を必要とし、又、その為の電源コードをタンクから引出さなければならない等装置が大掛かりになり、コストも掛かる等の不都合がある。
【特許文献１】実開昭６２−３５０８３号公報、特開２００３−１４７８３１号公報
【発明の開示】
【発明が解決しようとする課題】
【０００３】
本発明は、上記従来技術の有する欠点を解消した新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）トイレの手洗い吐水口に接続させることによりトイレ、トイレに類した物又はトイレ用品を当該吐出口から吐出された水により洗浄することができるトイレ、トイレに類した物又はトイレ用品の洗浄具に使用できる接続具であって、
前記吐出口に接続可能な接続部と
前記洗浄に必要な水の洗浄水用流路と
前記吐出口から吐出された水をタンクに戻すことができる水戻し流路と
当該洗浄に必要な水の洗浄水用流路への水の供給、当該洗浄水用流路への水の供給の停止又は前記吐出口から吐出された水を再びタンクに戻すための前記水戻し流路への水の供給を切換えることができる切換機構とを備えてなることを特徴とするトイレ、トイレに類した物又はトイレ用品の洗浄具に使用できる接続具。
（請求項２）トイレの手洗い吐水口に接続させることによりトイレ、トイレに類した物又はトイレ用品を当該吐出口から吐出された水により洗浄することができるトイレ、トイレに類した物又はトイレ用品の洗浄具であって、
前記吐出口に接続可能な接続部と
前記洗浄に必要な水の洗浄水用流路と
前記吐出口から吐出された水をタンクに戻すことができる水戻し流路と
当該洗浄に必要な水の洗浄水用流路への水の供給、当該洗浄水用流路への水の供給の停止又は前記吐出口から吐出された水を再びタンクに戻すための前記水戻し流路への水の供給を切り換えすることができる切換機構とを有してなる接続具と、
前記洗浄水用流路に接続することができる導水管と、
当該導水管に接続することができる水の噴出部と
を備えてなることを特徴とするトイレ、トイレに類した物又はトイレ用品の洗浄具。
（請求項３）水タンクと手洗い吐水口とを備えてなるトイレと、
当該トイレの手洗い吐水口に接続させることによりトイレ、トイレに類した物又はトイレ用品を当該吐出口から吐出された水により洗浄することができるトイレ、トイレに類した物又はトイレ用品の洗浄具であって、
前記吐出口に接続可能な接続部と
前記洗浄に必要な水の洗浄水用流路と
前記吐出口から吐出された水をタンクに戻すことができる水戻し流路と
当該洗浄に必要な水の洗浄水用流路への水の供給、当該洗浄水用流路への水の供給の停止又は前記吐出口から吐出された水を再びタンクに戻すための前記水戻し流路への水の供給を切換えることができる切換機構とを有してなる接続具と、
前記洗浄水用流路に接続することができる導水管と、
当該導水管に接続することができる水の噴出部と
を備えてなるトイレ、トイレに類した物又はトイレ用品の洗浄具とを
有してなることを特徴とするトイレ設備。
【発明の効果】
【０００５】
本発明によれば、手洗い吐水口を備えてなるトイレに接続して、洗浄ハンドルを回すことにより、当該手洗い吐水口から吐出される水により、トイレ、ポータブルトイレの便器・オマルなどのトイレに類した物やトイレブラシなどのトイレ用品の洗浄ができるので、洗面台や風呂場等を使用しないで、トイレで洗浄することができ、その際に、従来例のようなトイレ内の水道管に接続できるようにする大掛かりな設備装置を必要としないし、又、水タンク内に電動ミニポンプを沈め、当該電動ポンプの駆動の為に電源を必要とし、又、電源コードをタンクから引出す等の大掛かりな設備装置をも必要としないので、コストも掛からず、極めて実用的である。
【発明を実施するための最良の形態】
【０００６】
図５に示すように、トイレ、トイレに類した物又はトイレ用品（以下、トイレ類ということもある。）の洗浄具における接続具（接続部材）１は、トイレの手洗い吐水口に接続させることができる接続部１００と洗浄水用流路１０１と水戻し流路１０２と切換機構１０３とを有してなる。
当該接続部１００は、例えば、図示のように、リングバンド１００Ａを有してなり、当該バンド１００Ａをトイレの手洗い吐水口に装着し、締結ネジ１００Ｂをバンド穴１００Ｃに挿着するなどで締結して、当該接続部１００と手洗い吐水口とを接続させることができる。
上記洗浄水用流路１０１は、トイレ類の洗浄に必要な水の流路であって、例えば、導管よりなる。
上記水戻し流路１０２は、手洗い吐水口から吐出された水をタンクに戻すことができる流路であって、例えば、導管よりなる。
上記切換機構１０３は、例えば、図示のように、コック（栓）により構成され、例えば、図示のように、当該コックよりなる切換機構１０３を４５°の角度にすると、当該接続部材１の内部に配された弁（図示省略）作用により、手洗い吐水口から吐出された水を、上記洗浄水用流路１０１に導くことができる。又、当該コック（栓）よりなる切換機構１０３を横にすると、当該洗浄水用流路１０１への水の供給を停止することができる。更に、当該コックよりなる切換機構１０３を真っ直ぐにすると、手洗い吐水口から吐出された水を、水戻し流路１０２を経由して、水タンクに戻すことができる。
【０００７】
図１に示すように、上記構成の接続部材１の洗浄水用流路１０１に導水管２を接続し、当該導水管２に水の噴出部３を接続することにより、トイレ類の洗浄具４を構成することができる。
当該導水管２は、例えば、可撓性のゴムホースにより構成することができる。
当該水の噴出部３は、例えば、ピストル型の洗浄ガンにより構成することができ、グリップ部のレバー３００の操作により、排出口３０１から水を噴出することができる。
【０００８】
図１に示すように、トイレ５は、例えば、ロータンク式の洗浄タンクを有して構成され、手洗い吐出口５００と手洗鉢５０１とロータンクカバー５０２と洗浄ハンドル５０３とを備え、内部には、中水タンク（図示省略）などを備えて構成されている。
図２に示すように、トイレ５は、例えば、給水管５０４から、手洗い吐水口５００へと水を供給する経路５０５とタンク内部に洗浄水を供給する経路５０６へと分岐される。
手洗い吐水口５００へと水を供給する経路には、ボールタップ５０７が配設されている。当該ボールタップ５０７は、浮き球（フロート）５０８の働きにより、通常、１回分の洗浄水をロータンク内に供給する。
洗浄ハンドル５０３とフロート弁５０９とが接続されており、当該洗浄ハンドル５０３を操作すると、当該フロート弁５０９を持ち上げてタンク内の洗浄水をトイレの便器に流出させる。
給水管５０４には、図示のように、止水栓５１０が配設されており、水道の水は、当該止水栓５１０を経由してタンク内に水を供給する。当該止水栓５０４は、当該水を止めたり、或いは、水量の調節をしたりする。
タンク内部には、オーバフロー管５１１が設けられ、万一、不具合が生じて給水が止まらないような時に、ロータンクから水が溢れないように、便器へと水を流す役割を果たすようになっている。
【０００９】
図２に示すように、トイレ５の手洗い吐水口５００に接続部材１の接続部１００を接続し、当該接続部材１の洗浄水用流路１０１に、前記図１に示すように、導水管２を接続し、当該導水管２に水の噴出部３を接続しトイレ類の洗浄具４を構成して、洗浄ハンドル５０３を回転させると、フロート弁５０９が持ち上りタンク内の洗浄水をトイレの便器に流出させるが、その際に、接続部材１のコックよりなる切換機構１０３を４５°の角度にすると、当該接続部材１の内部に配された弁作用により、手洗い吐水口５００から吐出された水を、上記洗浄水用流路１０１に導くことができ、当該トイレの便器やポータブルトイレの便器・オマルなどのトイレに類した物やトイレブラシなどのトイレ用品の洗浄ができる。
当該コック（栓）よりなる切換機構１０３を横にすると、当該洗浄水用流路１０１への水の供給を停止することができる。
更に、当該コックよりなる切換機構１０３を、図２に示すように、真っ直ぐにすると、手洗い吐水口５００から吐出された水を、水戻し流路１０２を経由して、水タンクに戻すことができる。
上記フロート弁５０９が持ち上りタンク内の洗浄水をトイレの便器に流出後には、次回に必要な水が、タンクに、給水管５０４から、手洗い吐水口５００へと水を供給する経路５０５及びタンク内部に洗浄水を供給する経路５０６へと供給されるが、その際に、当該手洗い吐水口５００から吐出された水を、接続部材１の水戻し流路１０２を経由して、水タンクに戻さないと、次回分の洗浄水が不足することになる。
尚、手洗鉢５０１には、貫通孔が開けられており、当該貫通孔から下部のタンクに、手洗い吐水口５００からの水が送られる。本発明では、水戻し流路１０２を経由して、手洗い吐水口５００からの水が水タンクに戻される。
【００１０】
本発明のトイレ類洗浄具は、トイレの便器の汚物、特に、通常のタンクへ供給される洗浄水による洗浄で残存し付着したような汚物を洗浄することができると共に、図３に示すように、ポータブルトイレ６の便器の汚物バケット６００を洗浄することができ、又、図４に示すように、オマル７を洗浄することができる。
図示が省略されているが、トイレの洗浄に使用される柄付き洗浄ブラシ等のトイレ用品の洗浄にも使用することができる。
【００１１】
本発明では、例えば、図６に示すように、接続部材１と可撓性のゴムホースよりなる導水管２とピストル型の洗浄ガンによりなる水の噴出部３とを備えたトイレ類の洗浄具４を、例えば、トイレ内の架設バー８に架設してトイレ設備９を構成しておき必要な時に当該架設バー７からトイレ類の洗浄具４を取外し使用できるようにしてもよい。これら接続部材１と可撓性のゴムホースよりなる導水管２とピストル型の洗浄ガンによりなる水の噴出部３とを個別に設置しておいてもよい。
【００１２】
本発明では、適宜変更が可能であり、例えば、前記実施例では、ロータンク式に適用する場合について例示したが、他の手洗い吐水口を有する水洗トイレにも適宜適用してもよい。
【産業上の利用可能性】
【００１３】
本発明は、手洗い吐水口を備えてなるトイレに接続して、洗浄ハンドルを回すこにより、当該手洗い吐水口から吐出される水を利用して、トイレ、ポータブルトイレの便器・オマルなどのトイレに類した物やトイレブラシなどのトイレ用品の洗浄に適用できる。
【図面の簡単な説明】
【００１４】
【図１】本発明の実施例を示す構成図である。
【図２】本発明の実施例を示すタンクの説明図である。
【図３】本発明の他の実施例を示す構成図である。
【図４】本発明の更に他の実施例を示す構成図である。
【図５】本発明の実施例を示す接続具の説明図である。
【図６】本発明の実施例を示すトイレ設備の説明図である。
【符号の説明】
【００１５】
１    接続具（接続部材）
２    導水管
３    水の噴出部
４    トイレ類の洗浄具
５    水タンク
６    ポータブルトイレ
７    オマル
８    架設バー
９    トイレ設備
１００    接続部
１０１    洗浄水用流路
１０２    水戻し流路
１０３    切換機構
５００    手洗い吐出口
【図１】
2005194730.tif 000003
【図２】
2005194730.tif 000004
【図３】
2005194730.tif 000005
【図４】
2005194730.tif 000006
【図５】
2005194730.tif 000007
【図６】
2005194730.tif 000008